(57)【要約】【課題】対物レンズ保持部を大きく上下に移動さすことなく、微少な移動（焦点調節）で記憶媒体の情報が記録されている箇所に焦点を合わすことができる対物レンズ駆動装置を提供すること。【解決手段】対物レンズ保持部３００のレンズホルダ３３は、互いに異なる波長の光が通過する第１および第２の対物レンズ３１，３２を、光軸が互いに平行で、かつ、焦点が光軸に垂直な同一平面Ｓ１上に結ぶように保持する。対物レンズ保持部３００は、光軸方向および光軸方向に直交する方向に移動可能にサスペンションワイヤ４１，４１，４１で弾性的に懸架する。【選択図】図１
2009026380.tif 000002
【特許請求の範囲】
【請求項１】
レンズホルダを含む対物レンズ保持部と、
光軸が互いに平行で、かつ、焦点が上記光軸に垂直な同一平面上に結ぶように、上記レンズホルダに保持されると共に、互いに異なる波長の光が通過する第１および第２の対物レンズと、
上記対物レンズ保持部を、上記光軸方向および上記光軸方向に直交する方向に移動可能に弾性的に懸架する弾性懸架部材と
を備えたことを特徴とする対物レンズ駆動装置。
【請求項２】
請求項１に記載の対物レンズ駆動装置において、
上記対物レンズ保持部はバランスウエイトを含んでいることを特徴とする対物レンズ駆動装置。
【請求項３】
請求項１または２に記載のレンズ駆動装置において、
上記対物レンズ保持部は、懸架部を介して上記弾性懸架部材に懸架されており、
上記第１および第２の対物レンズの光軸を含む平面に垂直であり、かつ、上記対物レンズ保持部の重心を通る平面の近傍において、上記懸架部が上記弾性懸架部材に取り付けられていることを特徴とする対物レンズ駆動装置。
【請求項４】
請求項１から３のいずれか一つに記載の対物レンズ駆動装置において、
上記弾性懸架部材は、上記第１の対物レンズの光軸および上記第２の対物レンズの光軸を通る平面に関して両側に位置する上記対物レンズ保持部の両側部に取り付けられていることを特徴とする対物レンズ駆動装置。
【請求項５】
請求項１から４のいずれか一つに記載の対物レンズ駆動装置において、
上記対物レンズ保持部に設けられた保護部の外表面よりも、上記第１および第２の対物レンズの外表面が没入していることを特徴とする対物レンズ駆動装置。
【請求項６】
請求項１から５のいずれか一つに記載の対物レンズ駆動装置において、
上記第１および第２の対物レンズが互いに異なる材質で形成されていることを特徴とする対物レンズ駆動装置。
【請求項７】
請求項１から６のいずれか一つに記載の対物レンズ駆動装置において、
上記第１および第２の対物レンズがそれぞれ単体レンズで構成されていることを特徴とする対物レンズ駆動装置。
【請求項８】
請求項１から７のいずれか一つに記載の対物レンズ駆動装置を含む光ピックアップ。
【発明の詳細な説明】
【技術分野】
【０００１】
この発明は対物レンズを駆動する対物レンズ駆動装置およびそれを含む光ピックアップに関する。
【背景技術】
【０００２】
従来、光ピックアップに用いられる対物レンズ駆動装置としては、図５（ａ）に示すものがある（特許文献１：特開平８−２２１７７９号公報の図４参照）。この対物レンズ駆動装置２００は、対物レンズ保持部５３と、光軸が互いに平行で、かつ、焦点が上記光軸に垂直な異なる２つの平面上Ｓ１，Ｓ２で結ぶように上記対物レンズ保持部５３に保持されると共に、互いに異なる波長の光が通過する第１および第２の対物レンズ５１，５２と、上記対物レンズ保持部５３を上下動および回転させるための軸（図示しない）と、上記対物レンズ保持部５３を駆動する駆動部（図示しない）とを備えている。上記第１の対物レンズ５１が焦点を結ぶ距離はｄ１、上記第２の対物レンズ５２が焦点を結ぶ距離はｄ２である。
【０００３】
上記対物レンズ駆動装置２００は、上記駆動部によって、図５（ａ）に示すように、上記第１の対物レンズ５１の像（焦点）が平面Ｓ１に結んだ状態から、対物レンズ保持部５３を距離ｄ３（ｄ３＝ｄ１−ｄ２）だけ移動させ、図５（ｂ）に示すように、上記第２の対物レンズ５２の像（焦点）が平面Ｓ１に結ぶ状態となるよう駆動する。
【特許文献１】特開平８−２２１７７９号公報  図４
【発明の開示】
【発明が解決しようとする課題】
【０００４】
しかしながら、上記従来の対物レンズ駆動装置２００では、上記第１および第２の対物レンズ５１，５２の像（焦点）を結ぶ平面が異なる平面Ｓ１，Ｓ２であるため、図５（ａ）に示すように、同一平面Ｓ１上の情報を第１の対物レンズ５１でアクセスした後、図５（ｂ）に示すように、上記第１の対物レンズ５１を通る光の波長と異なる波長の光の通る第２の対物レンズ５２でアクセスさせる場合、上記対物レンズ保持部５３を、平面Ｓ１と平面Ｓ２との距離だけ、即ち、焦点距離ｄ１とｄ２との差ｄ３だけ移動させる必要があった。
【０００５】
そのため、上記対物レンズ駆動装置２００では、同一平面上の情報に上記第１および第２の対物レンズ５１，５２をアクセスさせる場合、上記対物レンズ保持部５３の移動距離を大きくしなければならないという問題があった。
【０００６】
また、上記第１および第２の対物レンズ５１，５２の焦点を上記平面Ｓ１またはＳ２に位置させるために、上記駆動部によって上記対物レンズ保持部５３を上記軸に沿って摺動させると、上記対物レンズ保持部５３は摩擦の影響を受けて、スムーズに駆動することが困難であるという問題があった。
【０００７】
さらに、上記対物レンズ保持部５３が上記軸に沿って摺動するため、上記軸と上記対物レンズ保持部５３との間の微少なクリアランスにより、上下動および回転の際、傾きが生じやすく位置決めの精度を上げることが困難であった。
【０００８】
そこで、この発明の課題は、異なる波長の光が通過する上記第１および第２の対物レンズの焦点を同一面上に結ばせるとき、上記対物レンズ保持部を大きく上下に移動さすことなく、微少な移動（密焦点調節）で記憶媒体の情報が記録されている箇所に焦点を合わすことができる対物レンズ駆動装置を提供することにある。
【０００９】
また、この発明の課題は、対物レンズ保持部が摩擦の影響を受けることなくスムーズに駆動できると共に、高精度で位置決めを行うことができる対物レンズ駆動装置を提供することにある。
【課題を解決するための手段】
【００１０】
上記課題を解決するため、この発明の対物レンズ駆動装置は、
レンズホルダを含む対物レンズ保持部と、
光軸が互いに平行で、かつ、焦点が上記光軸に垂直な同一平面上に結ぶように、上記レンズホルダに保持されると共に、互いに異なる波長の光が通過する第１および第２の対物レンズと、
上記対物レンズ保持部を、上記光軸方向および上記光軸方向に直交する方向に移動可能に弾性的に懸架する弾性懸架部材と
を備えたことを特徴としている。
【００１１】
この発明の対物レンズ駆動装置によれば、一つの特徴を示す模式図である図１（ａ）からわかるように、上記第１および第２の対物レンズ３１，３２は、焦点が同一平面上Ｓ１に結ぶように上記レンズホルダ３３によって保持されている。そのため、図１（ａ）に示すように、上記平面Ｓ１の情報に上記第１の対物レンズ３１でアクセスしていた状態から、図１（ｂ）に示すように、上記第２の対物レンズ３２で上記平面Ｓ１の情報にアクセスするときでも、上記レンズホルダ３３を大きく移動（粗アクセス）させる必要がない。
【００１２】
このように、上記対物レンズ保持部を大きく移動させる必要がないため、この対物レンズ駆動装置は、小型化できる。
【００１３】
また、上記対物レンズ保持部が、上記弾性懸架部材で懸架されているため、上記第１および第２の対物レンズが結ぶ焦点の位置決めを行うとき、上記弾性懸架部材を弾性変形させて位置決めを行うことによって、摩擦の影響を受けることなく焦点の位置決めを行うことができる。
【００１４】
したがって、上記対物レンズ保持部をスムーズに駆動することができる。
【００１５】
また、上記弾性懸架部材を弾性変形させて上記対物レンズ保持部材を位置決めするとき、従来のようにクリアランスの影響を受けることがないため、焦点の位置決めの精度を上げることもできる。
【００１６】
一実施形態の対物レンズ駆動装置では、
上記対物レンズ保持部はバランスウエイトを含んでいる。
【００１７】
この実施形態の対物レンズ駆動装置によれば、上記対物レンズ保持部はバランスウエイトを含んでいるので、上記弾性懸架部材で上記対物レンズ保持部をバランスよく懸架することができる。
【００１８】
したがって、上記対物レンズ保持部の駆動が容易になり、また、上記対物レンズ保持部の姿勢が安定する。
【００１９】
また、一実施形態の対物レンズ装置では、
上記対物レンズ保持部は、懸架部を介して上記弾性懸架部材に懸架されており、上記第１および第２の対物レンズの光軸を含む平面に垂直であり、かつ、上記対物レンズ保持部の重心を通る平面の近傍において、上記懸架部が上記弾性懸架部材に取り付けられている。
【００２０】
この実施形態の対物レンズ駆動装置によれば、上記対物レンズ保持部の重心を通る平面の近傍で上記懸架部が上記弾性懸架部材に取り付けられているので、上記対物レンズ保持部の姿勢が安定して、上記対物レンズ保持部の傾きを防止でき、精度良く焦点の位置決めを行うことができる。
【００２１】
なお、上記懸架部と上記対物レンズ保持部とは、別体であっても、一体であってもよい。
【００２２】
また、一実施形態の対物レンズ駆動装置では、
上記弾性懸架部材は、上記第１の対物レンズの光軸および上記第２の対物レンズの光軸を通る平面に関して両側に位置する上記対物レンズ保持部の両側部に取り付けられている。
【００２３】
この実施形態の対物レンズ駆動装置によれば、上記対物レンズ保持部の両側部を弾性懸架部材で支持しているので、上記対物レンズ保持部を安定した状態で、かつ、簡単に支持できる。
【００２４】
また、一実施形態の対物レンズ駆動装置では、
上記対物レンズ保持部に設けた保護部の外表面よりも、上記第１および第２の対物レンズの外表面が没入している。
【００２５】
この実施形態の対物レンズ駆動装置によれば、記憶媒体の表面に塵、汚れ、異物、または、傷が存在しても、上記保護部の外表面よりも、上記第１および第２の対物レンズの外表面が没入しているから、この第１および第２の対物レンズの表面に記憶媒体等が接触することを防ぐことができる。
【００２６】
このように、上記第１および第２の対物レンズが傷つくことがないため、この対物レンズ駆動装置の長寿命化を図ることができる。ここで、上記第１または第２の対物レンズの外表面とは記憶媒体側の表面のことをいう。
【００２７】
また、一実施形態の対物レンズ駆動装置では、
上記第１および第２の対物レンズが互いに異なる材質で形成されている。
【００２８】
この実施形態の対物レンズ駆動装置によれば、上記第１および第２の対物レンズは、異なる材質で形成されているため、この第１および第２の対物レンズを、焦点距離の相違、対象とする光等のレンズの特性およびコストなどに応じて最適なものとすることができる。
【００２９】
また、一実施形態の対物レンズ駆動装置では、
上記第１および第２の対物レンズがそれぞれ単体レンズで構成されている。
【００３０】
この実施形態の対物レンズ駆動装置によれば、上記第１および第２の対物レンズをそれぞれ単体レンズで構成しているため、コストの削減を行うことができる。
【００３１】
また、この発明の光ピックアップは、
上記対物レンズ駆動装置を含む光ピックアップであることを特徴としている。
【００３２】
この発明の光ピックアップでは、上記対物レンズ駆動装置を含んでいるので、焦点の位置決め精度の向上、小型化および軽量化を図ることができる。
【発明の効果】
【００３３】
この発明の対物レンズ駆動装置によれば、異なる波長の光が通過する第１および第２の対物レンズの焦点を同一面上に結ばせるとき、対物レンズ保持部を大きく上下に移動さすことなく、微少な移動（密焦点調節）で記憶媒体の情報が記録されている箇所に焦点を合わすことができる。
【００３４】
また、この発明の対物レンズ駆動装置によれば、対物レンズ保持部が摩擦の影響を受けることなくスムーズに駆動できると共に、高精度で位置決めを行うことができる。
【００３５】
また、この発明のピックアップ装置によれば、焦点の位置決め精度の向上、小型化および軽量化を図ることができる。
【発明を実施するための最良の形態】
【００３６】
以下、この発明を図示の実施の形態により詳細に説明する。
【００３７】
図２は、この実施形態の対物レンズ駆動装置の斜視図である。
【００３８】
この対物レンズ駆動装置１００は、対物レンズ保持部３００と、この対物レンズ保持部３００を搭載するベース機構４００と、この対物レンズ保持部３００を弾性的に懸架する弾性懸架部材としてのサスペンションワイヤ４１と、このサスペンションワイヤ４１を弾性変形させて駆動する駆動部６００とを備えている。
【００３９】
上記対物レンズ保持部３００は、第１および第２の対物レンズ３１，３２を保持する樹脂等の絶縁体からなるレンズホルダ３３と、このレンズホルダ３３に取り付けられた駆動部６００の一部であるトラック用駆動コイル３５およびフォーカス用駆動コイル３４と、レンズホルダ３３をサスペンションワイヤ４１に懸架するための懸架部としての絶縁体からなるホルダ基板４０と、上記レンズホルダ３３に固定されたバランスウエイト４３（図３参照）とを備えている。
【００４０】
上記レンズホルダ３３は、第１および第２の対物レンズ３１，３２を光軸が互いに平行で、かつ、焦点が光軸に垂直な同一平面Ｓ１上に結ぶように保持している。上記第１および第２の対物レンズ３１，３２には、図示しない光源からの互いに異なる波長の光が通過する。
【００４１】
また、上記第１および第２の対物レンズ３１，３２は、互いに違う厚みを有し、互いに異なる材料で形成されている。さらに、第１および第２の対物レンズ３１，３２がそれぞれ単体レンズで構成されている。
【００４２】
図３に示すように、上記第１の対物レンズ３１の表面から第１の対物レンズ３１の焦点までの距離がｄ１、上記第２の対物レンズ３２の表面から第２の対物レンズ３２の焦点までの距離がｄ２である。
【００４３】
上記第１および第２の対物レンズ３１，３２は、第１および第２の対物レンズ３１，３の表面がそれぞれの焦点が光軸に垂直な同一平面Ｓ１上に結ぶように光軸方向に沿って上下にずらされて、それぞれがレンズホルダ３３に保持されている。
【００４４】
上記レンズホルダ３３を、図２に示すように、上記ホルダ基板４０を介して弾性懸架部材としてのサスペンションワイヤ４１，４１，４１に懸架している。上記ホルダ基板４０の箇所で、図示しないが、上記サスペンションワイヤ４１，４１，４１は、駆動部６００の一部であるトラック用駆動コイル３５およびフォーカス用駆動コイル３４に電気接続して、トラック用駆動コイル３５およびフォーカス用駆動コイル３４に給電できるようにしている。なお、ホルダ基板４０とレンズホルダ３３とは、別体であっても、一体であってもよい。
【００４５】
上記ベース機構４００は、基台３６と、この基台３６に取り付けられたダンピングホルダ３７と、このダンピングホルダ３７に取り付けられた固定基板３９とを備えている。上記基台３６には、駆動用マグネット３８を固定している。
【００４６】
上記弾性懸架部材としての３本で一組のサスペンションワイヤ４１，４１，４１は、レンズホルダ３３の各側部をホルダ基板４０を介して弾性的に懸架している。上記サスペンションワイヤ４１は、弾性変形する材料で形成されていて、レンズホルダ３３を光軸方向および光軸方向に直交する方向に移動可能にしている。
【００４７】
上記サスペンションワイヤ４１は、一端が基台３６の側壁に半田付けされ、他端が固定基板３９に半田付けされている。さらに、上記サスペンションワイヤ４１，４１，４１の中央部は、第１および第２の対物レンズ３１，３２の光軸を含む平面に垂直であり、かつ、対物レンズ保持部３００の重心を通る平面の近傍において、ホルダ基板４０に取り付けて、対物レンズ保持部３００をバランスよく懸架している。また、上記サスペンションワイヤ４１，４１，４１は、第１および第２の対物レンズ３１，３２の光軸を通る平面に関して両側に位置するレンズホルダ３３の両側部に取り付けられて、上記対物レンズ保持部３００をバランスよく、かつ、簡単に懸架している。
【００４８】
上記駆動部６００は、トラック用駆動コイル３５およびフォーカス用駆動コイル３４と駆動用マグネット３８とで構成されている。この駆動部６００は、弾性懸架部材であるサスペンションワイヤ４１，４１，４１を弾性変形させて、レンズホルダ３３を光軸方向および光軸方向に直交する方向に移動可能に駆動する。
【００４９】
また、上記レンズホルダ３３外周縁には、凸状の保護部Ｐを設け、この保護部Ｐの表面よりも第１および第２の対物レンズ３１，３２の外表面が没入するようにしている。この保護部Ｐはレンズホルダと一体であるが、レンズホルダ３３に別途取り付けられる別体であってもよい。ここで、第１または第２の対物レンズ３１，３２の外表面とは、記憶媒体側の表面のことをいう。
【００５０】
上記保護部Ｐは、第１および第２の対物レンズ３１，３２の外周に沿って設けられた間欠的突起で形成されている。
【００５１】
なお、図示しないが、上記保護部は、第１および第２の対物レンズ３１，３２の外周に沿って連続的な環状の突起であってもよく、また、第１または第２の対物レンズの表面が記憶媒体に近い距離に配置される対物レンズのみに設けられるものであってもよい。
【００５２】
さらに、上記レンズホルダ３３は、図３に示すように、レンズホルダ３３の底部Ｂにバランスウエイト４３を、例えば接着剤等で、対物レンズ保持部３００の重量バランスを調節するために取り付けている。このバランスウエイト４３により、上記対物レンズ保持部３００は、図３において、左右および前後にバランスよく、つまり、平面Ｓ１に平行な状態でサスペンションワイヤ４１，４１，４１に懸架されるようになっている。
【００５３】
次に、この上記対物レンズ駆動装置１００の動作について説明する。
【００５４】
図３に示すように、記憶媒体１２の情報が記録された表面に焦点を合わせるよう、トラック用駆動コイル３５およびフォーカス用駆動コイル３４が駆動する。そうすると、サスペンションワイヤ４１が弾性変形されて、レンズホルダ３３を光軸方向および光軸に直交する方向に移動させ、所望の位置に焦点を合わせる。
【００５５】
したがって、焦点が光軸に垂直な同一平面上に結ぶように上記第１および第２の対物レンズ３１，３２がレンズホルダ３３によって保持されているため、例えば、同一平面Ｓ１上の情報に第１の対物レンズ３１でアクセスしていた状態から、第２の対物レンズ３２で同一平面Ｓ１上の情報にアクセスするときでも、レンズホルダ３３を大きく移動させる必要がない。
【００５６】
このように、上記レンズホルダ３３を大きく移動させる必要がないため、この対物レンズ駆動装置１００は小型化できる。
【００５７】
また、上記対物レンズ保持部３００が、弾性懸架部材であるサスペンションワイヤ４１，４１，４１で懸架されているため、第１および第２の対物レンズ３１，３２が結ぶ焦点の位置決めを行うとき、サスペンションワイヤ４１，４１，４１を弾性変形させて位置決めを行うことによって、摩擦の影響を受けることなく焦点の位置決めを行うことができる。したがって、対物レンズ保持部３００をスムーズに駆動することができる。
【００５８】
また、上記サスペンションワイヤ４１，４１，４１を弾性変形させてレンズホルダ３３を位置決めするため、従来のようにクリアランスの影響を受けることがない。したがって、上記第１および第２の対物レンズの焦点の位置決めの精度を上げることもできる。
【００５９】
また、上記レンズホルダ３３は、底部Ｂにバランスウエイト４３取り付けているので、サスペンションワイヤ４１，４１，４１で対物レンズ保持部３００を平面Ｓ１に平行な状態でバランスよく懸架することができる。したがって、上記対物レンズ保持部３００の駆動が容易になり、レンズホルダ３３の姿勢が安定する。
【００６０】
また、上記対物レンズ保持部３００の重心を通る平面の近傍でホルダ基板４０がサスペンションワイヤ４１，４１，４１に取り付けられているので、レンズホルダ３３の姿勢が安定して、レンズホルダ３３の傾きを防止でき、精度良く焦点の位置決めを行うことができる。
【００６１】
また、上記レンズホルダ３３の両側部をサスペンションワイヤ４１，４１，４１で支持しているのでレンズホルダ３３を安定した状態で、かつ、簡単に支持できる。
【００６２】
また、上記保護部Ｐを設けることで、この保護部Ｐの外表面よりも、第１および第２の対物レンズ３１，３２の外表面が没入しているので、上記第１または第２の対物レンズ３１，３２の外表面に記憶媒体１２が接触することを防ぐことができる。したがって、上記第１および第２の対物レンズ３１，３２が傷つくことがないため、対物レンズ駆動装置１００の長寿命化を図ることができる。
【００６３】
また、第１および第２の対物レンズ３１，３２は、異なる材質で形成されているため、焦点距離の相違、対象とする光等のレンズの特性およびコストなどに応じて最適なものとすることができる。
【００６４】
さらに、上記第１および第２の対物レンズ３１，３２をそれぞれ単体レンズで構成しているため、コストの削減を行うことができる。
【００６５】
次に、図４を参照して、上記対物レンズ駆動装置１００を含む光ピックアップの構成を説明する。
【００６６】
図４は、この光ピックアップ装置１１０の一実施形態である構成図を示している。この光ピックアップ装置１１０は、ＣＤ（コンパクトディスク）およびＤＶＤ（デジタルビデオディスク）などの記録または再生のための記憶媒体１２に、半導体レーザの光を照射して、記憶媒体１２の表面に情報を記録する。または、半導体レーザの光の反射戻り光を検出して、記憶媒体１２の表面に書き込まれた情報を再生する。この光ピックアップ装置１１０は、光源である半導体レーザ１と、コリメートレンズ２と、偏光分岐素子である光分岐素子３と、ビーム拡大素子４と、立ち上げミラー５と、第１（第２）の対物レンズ３１（３２）を保持するレンズホルダ３３と、駆動部６００であるフォーカス駆動用コイル３４と、スポットレンズ９と、円柱レンズ１０と、受光手段としての受光素子１１とを備える。
【００６７】
次に、この光ピックアップの動作を説明する。
【００６８】
半導体レーザ１からの発散光は、コリメートレンズ２によって平行光束化される。この平行光束化された光は、光分岐素子３を介してビーム拡大素子４によって光束径が拡大される。この拡大された光は、立ち上げミラー５によって光路を曲げられ、その後、集光ユニット６によって記憶媒体１２に光を集光させる。レンズホルダ３３の近傍に駆動部６００は、レンズホルダ３３を光軸方向および上記光軸に直交する方向に移動させ、記憶媒体１２の情報が記憶された表面に焦点を合わせる。記憶媒体１２からの反射光は、入射光と逆の光路つまり対物レンズ６、立ち上げミラー５、ビーム拡大素子４を順次通過した後、光分岐素子３で反射される。この反射光はスポットレンズ９で集光され、円柱レンズ１０を通って多分割の受光部を有する受光素子１１に照射される。受光素子１１の受光部で記録信号およびサーボ信号が検出される。
【００６９】
上記実施形態において、第１および第２の対物レンズ３１，３２を保持するレンズホルダ３３を備えた対物レンズ駆動装置１００を説明したが、３つ以上の複数の対物レンズを光軸が同一平面上にあり、かつ、焦点が同一平面上にあるようにしてレンズホルダに保持してもよい。
【００７０】
また、上記実施形態において、第１および第２の対物レンズ３１，３２は単体レンズで構成されるものを説明したが、それぞれが光軸方向に複数の組み合わせレンズからなるものであってもよい。
【００７１】
また、上記実施形態において、レンズホルダ３３がバランスウエイト４３を含んだものを説明したが、バランスウエイト４３の位置、形状、大きさ、材料、および、取付方法は適宜変更することができる。また、バランスウエイト４３は、対物レンズ保持部３００に一体形成されてもよい。さらに、バランスウエイト４３を備えなくてもよい。
【００７２】
また、上記実施形態において、サスペンションワイヤ４１は、上記第１および第２の対物レンズ３１，３２の光軸を含む平面に垂直であり、かつ、対物レンズ保持部３００の重心を通る平面に半田付けされたものを説明したが、レンズホルダ３３を懸架することができれば、取付方法および懸架位置はこれに限るものではない。
【００７３】
さらに、上記サスペンションワイヤ４１は、トラック用駆動コイル３５およびフォーカス用駆動コイル３４に電流を供給するものを説明したが、懸架のみを行う弾性懸架部材であってもよい。
【００７４】
また、上記弾性懸架部材として、対物レンズ保持部３００の各側面を３本のサスペンションワイヤ４１，４１，４１で懸架したものを説明したが、対物レンズ保持部を懸架することができれば、弾性懸架部材の数、材料、懸架位置および懸架位置の数はこれに限るものではない。
【００７５】
また、上記実施形態において、第１および第２の対物レンズ３１，３２は互いに異なる材質で形成されたものを説明したが、同じ材質で形成されるものであってもよい。
【００７６】
また、対物レンズ保持部３００は、レンズホルダ３３を含めば、例えば、トラック用駆動コイル３５、フォーカス用駆動コイル３４、ホルダ基台４０、および、バランスウエイト４３等の他のものは含まなくてもよい。
【図面の簡単な説明】
【００７７】
【図１】図１（ａ）、（ｂ）は、この発明の対物レンズ駆動装置の要部を説明する模式図である。
【図２】この発明の一実施形態の対物レンズ駆動装置を示す斜視図である。
【図３】上記対物レンズ駆動装置の一部断面図である。
【図４】この発明の一実施形態の対物レンズ駆動装置を備えた光ピックアップの構成を示す図である。
【図５】図５（ａ）、（ｂ）は、従来の対物レンズ駆動装置を説明する模式図である。
【符号の説明】
【００７８】
３１  第１の対物レンズ
３２  第２の対物レンズ
３３  レンズホルダ
４０  ホルダ基板
４１  サスペンションワイヤ
４３  バランスウエイト
１００  対物レンズ駆動装置
１１０  光ピックアップ
３００  対物レンズ保持部
Ｓ１  平面
Ｐ  保護部
【図１】
2009026380.tif 000003
【図２】
2009026380.tif 000004
【図３】
2009026380.tif 000005
【図４】
2009026380.tif 000006
【図５】
2009026380.tif 000007